(57)【特許請求の範囲】
【請求項１】
ケース内の電動ファンの回転により吸引される吸引空気をケースの側面の吸い込み口から吸い込む本体部と、
蓋により閉鎖可能な清水タンクと端部が開放された汚水タンクとを具備するタンク部と、
清水タンクの清水を被浄化面に吹き出し、塵芥とともにこれを吸い込む吸引ヘッドと、
前記ケースに着脱自在に接続する第１接続面と、前記タンク部に着脱自在に接続する第２接続面と、前記開放された端部から汚水タンクの内周から離れた状態で汚水タンク内部に侵入する筒部と、前記汚水タンクの端部から汚水タンクの内周から離れた状態で汚水タンク内部に侵入するダクトと、前記筒部の先端に設けられたセパレータとを具備する基体部と、
前記吸引ヘッドにより吸い込まれた塵芥を前記汚水タンク内へ導入する集塵ホースとを有し、
前記セパレータは、周側壁に多数のスリットが設けられたキャップ体と、前記キャップ体の裾の下から汚水タンクに向けて外気を送る逆噴射ファンとを有し、夫々が前記電動ファンの回転により回転し、
前記筒部の中空の一端は前記キャップ体の内側に連通し、他端は前記吸い込み口に連通して、前記キャップ体の内側に取り込まれた吸引空気を前記本体部へ送り、
前記ダクトは、前記基体部の外周面に開口した外気取り入れ口から外気を取り込み、前記逆噴射ファンに供給し、
前記汚水タンクには、前記汚水タンクの天地が変わっても、前記キャップ体のスリットや裾が汚水に浸かることが避けられる位置に汚水の上限を示すマーカが付されていることを特徴とする湿式クリーナー。
【請求項２】
請求項１の湿式クリーナーにおいて、前記集塵ホースが前記汚水タンク内に開口する位置は、前記キャップ体の回転軸の軸線上において、前記キャップ体と重なり、前記マーカよりも上の位置であることを特徴とする湿式クリーナー。
【請求項３】
請求項１の湿式クリーナーにおいて、前記キャップ体と前記逆噴射ファンの回転軸は、クラッチを介して前記電動ファンの回転が伝えられること特徴とする湿式クリーナー。
【請求項４】
請求項１の湿式クリーナーにおいて、前記キャップ体と前記逆噴射ファンの回転軸は、前記吸引空気により回転する羽根車から回転が伝えられることを特徴とする湿式クリーナー。
【発明の詳細な説明】
【技術分野】
【０００１】
この発明は、気体と液体を分離する液体分離機を備えた湿式クリーナーに関するものである。
【背景技術】
【０００２】
湿式クリーナーは、被浄化面に洗浄液（水、洗剤等）を供給し被浄化面を洗浄しながら、被浄化面上の洗浄液及びこれに溶解／分散された汚れを吸引する。このような、湿式クリーナーとして例えば、特許文献１、特許文献２に示されるものが知られている。特許文献１の湿式クリーナーは、汚染水を吸込むための電動送風機と、汚染水を溜める汚水タンクとを掃除機筐体内に備えた湿式専用の掃除機である。一方、特許文献２の湿式クリーナーは、乾式の掃除機の吸引ホースの先に取り付けられ、乾式掃除機のモータの動力を利用して床面に洗浄液を供給して床面を洗浄しながら、床面上の洗浄液及びこれに溶解／分散された汚れを吸引し除去するアタッチメントである。
【０００３】
これらの湿式クリーナーでは、回転式のセパレータを具備して水と気体とを分離している。セパレータは、吸引空気から水を分離し、後段の電動ファン等が水を吸い込むことによる故障を抑止する。電動ファンが動作中にセパレータが水に浸かると、水は瞬間的に電動ファンまで到達する。
【０００４】
セパレータは、電動ファンの吸引空気を動力として回転するキャップ体を有している。キャップ体は、周面に多数の傾斜状のスリットが形成されており、回転することにより水をはね飛ばしてキャップ体内部への進入を止め、スリットを通してその内側へ空気を流れ込ませる。内側へ流れ込んだ空気は、電動ファンへと導かれる。
【０００５】
また、外気から取り入れた清浄な空気を、回転するキャップ体の裾の下側から汚水タンク内に向けて吹き出し、キャップ体の遠心力の働かない隙間から侵入しようとする水を阻止する動的シールが知られており、特許文献１にその詳細が示されている。
【特許文献１】特許第５２０９９９１号公報
【特許文献２】特許第５３７４６３１号公報
【特許文献３】実用新案登録第３２１２８５２号公報
【発明の開示】
【発明が解決しようとする課題】
【０００６】
これらの従来技術においては、汚水タンクは天地を保った状態で動作させることが前提である。水平姿勢が多少傾いても、セパレータが水に浸からないように、セパレータは汚水タンクの天井に配置されている。特許文献１の湿式専用の掃除機では、使用者が手にする先端ノズルがフレキシブルホースを介して掃除機に接続されており、先端ノズルの天地を替えても掃除機側の天地が変わるような転倒は殆ど起こり得ない。一方、特許文献２のアタッチメントは、掃除機のホース先に接続されており、使用者が手に持って操作するものであり、車の背もたれ部や垂直な壁や、或いは不注意にも天井面を清掃しようとして天地を替えてしまう使用例が想像できる。汚水タンクの天地が入れ替わると、汚水の抵抗で回転不足となり、キャップ体の縁と汚水タンクの隙間から、そしてキャップ体のスリットから、水と塵芥を含んだ吸引空気がセパレータ内部に侵入する。回転不足のキャップ体よる遠心力や、回転不足の逆噴射ファンによる清浄な空気の吹き出しでは、この侵入を防げないのである。セパレータ内部に侵入した水は、吸引空気にのってフレキシブルホースの中を瞬間的に移動し電動ファンへ到達するのである。例えば、特許文献３では、セパレータ内部に侵入した水が電動ファンへ到達することを阻止する装置が示されている。
【０００７】
また、近年は、ステック型若しくはハンディ型の掃除機が普及している。このような掃除機を特許文献２のアタッチメントにより利用する場合には、ステック型の掃除機を床置きして、さらにフレキシブルホースを接続して、その先にアタッチメントを付けることで煩雑になり、本来ステック型の掃除機が持つ利便性が喪失する。
本発明は、液体分離機及びこれを利用した湿式クリーナーを提供することを目的とする。
【課題を解決するための手段】
【０００８】
上記目的を達成するために、本発明では、ケース内の電動ファンの回転により吸引される吸引空気をケースの側面の吸い込み口から吸い込む本体部と、
蓋により閉鎖可能な清水タンクと端部が開放された汚水タンクとを具備するタンク部と、
清水タンクの清水を被浄化面に吹き出し、塵芥とともにこれを吸い込む吸引ヘッドと、
前記ケースに着脱自在に接続する第１接続面と、前記タンク部に着脱自在に接続する第２接続面と、前記開放された端部から汚水タンクの内周から離れた状態で汚水タンク内部に侵入する筒部と、前記汚水タンクの端部から汚水タンクの内周から離れた状態で汚水タンク内部に侵入するダクトと、前記筒部の先端に設けられたセパレータとを具備する基体部と、
前記吸引ヘッドにより吸い込まれた塵芥を前記汚水タンク内へ導入する集塵ホースとを有し、
前記セパレータは、周側壁に多数のスリットが設けられたキャップ体と、前記キャップ体の裾の下から汚水タンクに向けて外気を送る逆噴射ファンとを有し、夫々が前記電動ファンの回転により回転し、
前記筒部の中空の一端は前記キャップ体の内側に連通し、他端は前記吸い込み口に連通して、前記キャップ体の内側に取り込まれた吸引空気を前記本体部へ送り、
前記ダクトは、前記基体部の外周面に開口した外気取り入れ口から外気を取り込み、前記逆噴射ファンに供給し、
前記汚水タンクには、前記汚水タンクの天地が変わっても、前記キャップ体のスリットや裾が汚水に浸かることが避けられる位置に汚水の上限を示すマーカが付されていることを特徴とする。
【発明の効果】
【０００９】
本発明によれば、筒部とダクトによりセパレータを汚水タンクの開放端よりも奥側に配置出来るので、セパレータを汚水タンクの容量のほぼ中心に持ってくることができる。この結果、汚水の上限を示すマーカを適当に定めれば、湿式クリーナーの天地がひっくり返っても、セパレータが水に浸かることを避けることが可能になる。また、集塵ホースの開口は、キャップ体に重なる位置に配置されているため、横倒し状態であっても、集塵ホースの開口は汚水に浸からないようにすることができる。
【図面の簡単な説明】
【００１０】
【図１】実施例１による湿式クリーナーの側面切断図である。
【図２】セパレータの分解図である。
【図３】逆噴射ファンの詳細図である。
【図４】湿式クリーナーの使用方法を示す図である。
【図５】湿式クリーナーの作用を示す図である。
【図６】実施例２による湿式クリーナーの側面切断図である。
【図７】他の改良点を示す図である。
【発明を実施するための最良の形態】
【００１１】
以下、図面を参照して本発明の実施例を示して説明する。各実施例の湿式クリーナー１では、フレキシブルホースを介さないため、特許文献３に示すような対応を取ることが難しい。各実施例では、汚水タンクとセパレータの位置関係の見直しを行い、改良した構成を取り入れている。各実施例の湿式クリーナー１は、所謂ステック型若しくはハンディ型と呼ばれるクリーナーである。
【実施例１】
【００１２】
図１は本実施例による湿式クリーナー１の側面切断図である。湿式クリーナー１は、本体部１０、基体部２０、タンク部８０、吸引ヘッド９０とを有している。本体部１０のケース１３内には、電動モータ１１と、電動モータ１１の軸に連結して回転するファン１２とからなる電動ファン９が設けられている。ファン１２の回転により吸引空気を発生する。図において左側に位置するケース１３の側面（以下、取付側面１４と称する）の吸い込み口１４ａは、吸引空気を吸い込む入り口であり、右に位置する排気口１５に排出する。ケース１３には、使用者が手で把持出来るハンドル１６が設けられており、又、ハンドル１６には電動モータ１１のスイッチ１７が取り付けられている。本体部１０の電源は、商用電源でも、電池でも良い。
【００１３】
基体部２０は、ケース１３に接続する第１接続面２１と、タンク部８０に接続する第２接続面２２とを有している。第１接続面２１と第２接続面２２とは、互いに背中合わせの面である。第２接続面２２からは筒部３０が突出しており、また、筒部３０の外周には、基体部２０の外周面２３から外気に開口した外気取り入れ口２４に連続するダクト３３（図１Ａにおいて、筒部３０の外周に１８０度離れて単管一対がダクト３３として設けている。）が設けられている。筒部３０の先端３２には、セパレータ１００が取り付けられており、基体部２０がタンク部８０と接続したときに、筒部３０及びダクト３３の長さに応じてセパレータ１００はタンク部８０の内部に侵入するようになっている。このとき、筒部３０及びダクト３３は、汚水タンク８１の内周から離れた状態になっている。筒部３０は、他端３１が第２接続面２２側に開口している。基体部２０には、羽根車５０が設けられており、ファン１２により発生した吸引空気により回転し、回転軸５１を介してセパレータ１００のキャップ体７０を回転させる（以降、回転軸５１の軸線Ｃとする）。本実施例では、羽根車５０は筒部のセパレータ側に先端３２側の内周に設けられている。尚、軸線Ｃは、電動モータ１１やファン１２の回転軸の軸線と一致しても、しなくても良い。
【００１４】
基体部２０は、ケース１３の取付側面１４に対して着脱自在に取り付けられる。基体部２０の第１接続面２１とケースの取付側面１４とが対向して接続するとき、ケース１３の取付側面１４と第１接続面２１との夫々の第１包囲部材１９、２５は、吸い込み口１４ａの周囲および、筒部３０の他端３１側の開口の周囲を取り囲んで互い包囲し、筒部３０を通してキャップ体７０の内部に取り込まれた空気が本体部１０側に送られ、ファン１２による吸引動作が行われるよう連通する。本実施例では、第１包囲部材１９、２５はリングであって、一方の内周が他方の外周を外嵌する寸法になっている。第１包囲部材１９、２５の結合を維持できるように、ケース１３側のレバー１８が、基体部２０側の突起２６に嵌合して、基体部２０を固定している。
【００１５】
タンク部８０は、汚水タンク８１と清水タンク８２とを有しており、透明な樹脂素材により一体作成されている。タンク部８０の汚水タンク８１が基体部２０に結合する。清水タンク８２は、蓋８３を閉じた時に閉鎖的な空間を内部に有しており、蓋８３を開いて清水の補給が可能である。さらに、清水タンク８２内から清水を吸引ヘッドへ送るパイプ８４が設けられている。また、清水タンク８２には、弁８９が設けられており、パイプ８４を経て清水が吸引ヘッド９０送られるときに、清水タンク８２内が負圧になると外気が取り込まれるようになっている。
【００１６】
汚水タンク８１は端部が開放された開放端８５を有する容器であり、開放端８５及び基体部２０の第２接続面２２の夫々には、筒部３０、ダクト３３及びセパレータ１００の周囲を離間して包囲する第２包囲部材８６、２７が設けられている。第２包囲部材８６、２７は、夫々がリングであって、互いが着脱自在に結合するように雄雌の螺子８７、２８が設けられている。また、基体部２０側には、開放端８５が当接するパッキン２９が設けられており、汚水タンク８１と基体部２０が接続したときに閉鎖的な水密空間が形成できようになっている。
【００１７】
吸引ヘッド９０は、清水タンクからの清水を被浄化面に吹きだし、塵芥とともにこれを吸い込む。吸引ヘッド９０から続く集塵ホース９１は、汚水タンク８１の中央位置に開口９２を有し、吸引ヘッド９０から吸い込んだ塵芥を汚水タンク８１に導入する。この開口位置は、キャップ体７０の頭頂面７１に重なるが(図５Ｅ参照)、頭頂面７１とは回転軸５１の軸線Ｃ上でやや離れた位置である。さらにマーカ８８よりもキャップ体７０に近い位置が望ましく、開口９２が開いた方向はキャップ体７０の反対方向である。このマーカ８８は、汚水タンク８１には、汚水を溜める上限（吸引ヘッド９０を下とし、本体部１０を上と下とした場合）を示している。マーカ８８は、湿式クリーナー１が起立状態（回転軸５１の軸線Ｃが鉛直方向に沿ってハンドル１６が上側になる状態）において、セパレータ１００の高さ位置よりも下側に付されている。集塵ホース９１は、フレキシブルでは無く固体式のものがよい。また、吸引ヘッド９０は、集塵ホース９１に対して着脱自在にしておくことが望ましい。
【００１８】
次に、図２を用いてセパレータ１００について説明する。
セパレータ１００は、逆噴射ファン６０とキャップ体７０及びセパレータシャーシ４０を有している。ファン１２が回転を始めると、その吸引力により羽根車５０が回転軸５１を回転させる。回転軸５１には逆噴射ファン６０とキャップ体７０がナット７３により固定されている。セパレータシャーシ４０には、回転軸５１と同軸に、清浄空気の気体通路となる回廊４６を内部に有する外周壁４１、外周壁４１の内周側に逆噴射ファン６０の通路となる円周状の溝４２、及びさらに内周側同軸にリング状壁４３が設けられている。外周壁４１の頂面４７の直上付近をキャップ体７０の裾７４が間隔を一定にして周回している。図２Ｃは、セパレータシャーシ４０の一部断面であり、かつダクト３３を取り外している。外周壁４１には溝４２に向けて、等角度間隔を置いて空気穴４４が設けられており、外周壁４１内の回廊４６と溝４２とが連通している。また、外周壁４１にも空気穴４５が設けられており、ダクト３３に連通している。尚、開口４８は、キャップ体７０の内側に入った吸引空気が筒部３０の中空へ流れる通路である。
【００１９】
図３において、逆噴射ファン６０は、溝４２の中で回転する筒状のファンで有り、図３Ａに示すように回転軸５１から放射状に延びるスポーク６１に連結している。また、図３Ｂに示すように、逆噴射ファン６０の周壁６３には、回転した際に図中下側から上側に気体を案内するための傾斜面を持つ複数のリブ６２が等角度間隔に設けられている。図３Ｃは、逆噴射ファンのＸ−Ｘ断面であり、外周壁４１、溝４２との関係を示している。逆噴射ファン６０、溝４２及びリング状壁４３は、筒部３０へ到る吸引空気の通路に対するラビリンスシールを構成する。ダクト３３を介して回廊４６へ、そして空気穴４４を通して溝４２へは外気が取り込まれており、逆噴射ファン６０のリブ６２は、キャップ体７０の裾７４の下からこの外気を汚水タンク８１に向けて押し出す。キャップ体７０の裾７４の下からキャップ体７０の内側に入り込もうとする水は、この空気の流れにより押し出されるように作用する。このように、ラビリンスシールと逆噴射ファン６０の作用により気体を動的に動かす動的シールが形成されている。
【００２０】
図２に戻り、キャップ体７０を説明する。キャップ体７０は、回転軸５１と同軸若しくはやや傘状の周側壁７５に内側と外側を貫通する複数のスリット（貫通孔）７２が等角度間隔で穿設されている。図では、スリットは、放射状であるが、斜めのスリットにしても良い。また、キャップ体７０は、円筒状でも円錐台状でも、太鼓状でもよいが、底面が抜けて開放されていることが必要で有り、この底面が開放されることにより、吸引空気の通り道になり、キャップ体７０を通過した吸引空気が、筒部３０の中空へ導入されるのである。そして、この通り道を裾７４が囲っているのである。キャップ体７０の頭頂面７１は、スリットとなるような貫通孔は設けられていない。キャップ体７０は回転した際に、汚水タンク８１内において飛び散った水を遠心力により振り払い、スリット７２を通して水が吸い込まれないように働く。
【００２１】
集塵ホース９１には吸引ヘッド９０が取り付けられている。このような吸引ヘッド９０に関しては、例えば、特許第６３９１１０６号公報等に記載されている吸引ヘッドが好適に使用することができる。
【００２２】
次に、本実施例による湿式クリーナー１の使用方法について、図４を用いて説明する。湿式クリーナー１の本体部１０は、乾式クリーナーとしても利用可能なように、フィルタを備えた集塵部若しくはサイクロン分離機を、接続面部に対して接続出来るようになっている。そして、通常においては、乾式クリーナーとして専ら利用される。図４において例示した集塵部２００は内部にフィルタ（ゴミパック）を備えており、ケース１３側のレバー１８が、集塵部２００側の突起２６に嵌合して着脱自在に固定されている。そして、必要に応じて、集塵部２００を取り外し、基体部２０、タンク部８０、吸引ヘッド９０を取り付ける。通常においては、基体部、タンク部、吸引ヘッドは一体的にして保管しておくのである。
【００２３】
次に、湿式クリーナー１の作用について、図５を用いて説明する。筒部３０とダクト３３は、セパレータ１００を汚水タンク８１の容量のほぼ中心に持ってくるために採用された構成である。容量のほぼ中心とは、汚水タンク８１の縦横、上下左右において、ほぼ中心であるということである。筒部３０とダクトがなす縦断面積は、汚水タンク８１の直径よりも小さくかつ、汚水の上限を示すマーカ８８は、湿式クリーナー１の天地がひっくり返ったとき（図５Ａ）、基体部２０からセパレータ１００のスリット７２若しくは裾７４を汚水が超えないような高さに設定されている。また、湿式クリーナー１が天地逆で斜め上向き（図５Ｂ）、横倒し状態（図５Ｃ、５Ｄ）でも、スリット７２若しくは裾７４が汚水に浸からないように、マーカ８８の高さが定められている。尚、図５Ａ−５Ｄにおいて、２点鎖線は、マーカ８８まで溜められた汚水の水面を、各状態において示したものである。ところで、マーカの高さは、湿式クリーナー１の停止時にスリット７２若しくは裾７４が汚水に浸からない高さで決めて良い。湿式クリーナー１の運転時には、汚水タンク８１内の汚水は、キャップ体７０の回転に誘導されて回転しており、遠心力によりすり鉢状になっており、汚水タンク８１の中央付近では液面は低下するからである。
【００２４】
また、集塵ホース９１の開口９２は、軸線Ｃの延長線上でキャップ体７０に重なる位置に配置されているため、図５Ｄのように横倒し状態であっても、集塵ホース９１の開口９２は汚水に浸からないようになっている。このため、汚水が吸引ヘッド９０から逆流することはない。また、図５Ａ、図５Ｂのような位置関係であっても、キャップ体７０が回転している限りにおいては、セパレータ１００のスリット７２若しくは裾７４に水が降りかかったとしても、水に浸からない限りは水の浸入を妨げることが出来る。
【実施例２】
【００２５】
本実施例１においては羽根車５０が筒部３０のセパレータ１００側に設けられていたが、本実施例においては、羽根車５０を第１接続面２１側に設け、取付側面１４と対向するようにした。他の構成要素については、実施例と同一である。羽根車５０を第１接続面２１側に設けているため、回転軸５１が筒部３０内を延在している。本実施例においては、羽根車５０を汚水タンク８１内に設けなくても良いため、基体部２０からセパレータ１００のスリット若しくは外周壁４１の頂面４７までの容量を大きくできる。また、実施例１では羽根車５０の周辺部に吸引空気を当てることが望ましいが、このため筒部３０自体の直径が大きくなりがちであったが、本実施例においては、その必要が無いため、筒部３０の直径を小さくできるという効果がある。
【００２６】
上記実施例１、２において、ダクト３３を筒部３０と一体となった一対の単管として示したが、１本でも多数本でも又はダクト３３は筒部３０とは分離したチューブ（例えば、シリコンチューブ）でも良い。また、二重同心の筒管を用いて、内側の空間を筒部３０用に、外側の空間をダクト３３用に利用しても良い。また、第１包囲部材２５、１９及び第２包囲部材８６、２７の連結に関しては、螺子式、レバー式いずれでも良く、他の如何なる結合手段も電気掃除機として目的とする程度の気密性、水密性に保てるならば、利用可能である。また、本実施例においては、汚水タンク８１と清水タンク８２は一体であったが、分離可能としても良い。
【００２７】
また、上記実施例１、２においては、吸引空気により羽根車５０を回すようにして、吸引空気を介して電動ファン９の回転を間接的に回転軸５１に伝えていたが、電動ファン９の回転を直接的に回転軸５１に伝えてもよい。この場合、電動ファン９からシャフトを伸ばして、その延長先に逆噴射ファン６０とキャップ体７０の回転軸５１と着脱可能に連結できるクラッチを設けて、電動モータ１１により直接的に逆噴射ファン６０とキャップ体７０を回転させる。例えば、電動モータ１１側にクラッチシュウ、回転軸５１側にクラッチドラムを取り付けて、電動モータ１１の回転によりクラッチシュウとクラッチドラムが連結するような遠心クラッチが利用出来る。また、噛み合いクラッチ、摩擦クラッチ等を利用しても良い。このような構成により、羽根車５０なしで逆噴射ファン６０とキャップ体７０を回転させることができることになり、羽根車５０周りの部品の削減が可能である。尚、実施例１、２の羽根車５０は、空気を媒介としたクラッチと言うことも出来るかもしれないが、この欄では機械的な連結を行うクラッチについて説明した。
【００２８】
上記実施例１、２に対して、図７に示すように次のような変更を採用しても良い。図７においては、実施例１への変更を例にして説明する。
（１）タンク部８０の汚水タンク８１に対して、基体部２０からセパレータ１００のスリット７２若しくは裾７４の範囲の直径を清水タンク８２の直径よりも膨大させる。この変更により、基体部２０からセパレータ１００のスリット７２若しくは裾７４の範囲における貯水量を増加させることが出来る。
（２）清水を吸引ヘッドへ送るパイプ８４について、清水タンク８２内において、柔軟なチューブ（例えば、シリコンチューブ）９５と、その先端に付けられた錘９４との構成を具備させる。このような構造により、湿式クリーナー１の天地がひっくり返ったとしても、常にパイプ８４の入り口は清水の中に浸漬しているから、清水を清水タンク８２から安定的に汲み上げることができる。
（３）清水タンク８２内に設けられた弁８９に替えて、清水タンク８２の壁を貫通するパイプ９３の出入り口を蓋８３側と汚水タンク８１側に開口させるように変更できる。図においては、蓋８３側においてパイプ９３は清水タンク８２内に開口し、汚水タンク８１側においては外気に向けて開口している。この逆でも良い。
（４）清水を吸引ヘッドへ送るパイプ８４の途中箇所において、パイプ８４を閉塞するレバー９６を設ける。レバー９６によりパイプ８４による給水が停まり、湿式クリーナー１は水を噴出しないクリーナーとなるが、例えば、パイプ８４にて給水して掃除することにより濡れた被浄化面を乾燥させるために用いることができる。
【符号の説明】
【００２９】
１     湿式クリーナー
９     電動ファン
１０     本体部
１４     取付側面
１４ａ     吸い込み口
１５     排気口
１８     レバー
１９、２５     第１包囲部材
２０     基体部
２１     第１接続面
２２     第２接続面
２４     外気取り入れ口
３０     筒部
３３     ダクト
４０     セパレータシャーシ
４１     外周壁
４２     溝
４３     リング状壁
４４、４５     空気穴
４６     回廊
４７     頂面
４８     開口
５０     羽根車
５１     回転軸
６０     逆噴射ファン
６２     リブ
６３     周壁
７０     キャップ体
７１     頭頂面
７２     スリット
７４     裾
７５     周側壁
８０     タンク部
８１     汚水タンク
８２     清水タンク
８５     開放端
８６、２７     第２包囲部材
８８     マーカ
８９     弁
９０     吸引ヘッド
９１     集塵ホース
９２     開口
９３     パイプ
９４     錘
９６     レバー
１００     セパレータ
２００     集塵部
【図１】
0006908295.tif 000002
【図２】
0006908295.tif 000003
【図３】
0006908295.tif 000004
【図４】
0006908295.tif 000005
【図５】
0006908295.tif 000006
【図６】
0006908295.tif 000007
【図７】
0006908295.tif 000008